(57)【要約】【課題】閲覧時における閲覧者の負荷を軽減することができるマルチ映像システム、表示装置、及び表示方法を提供する。【解決手段】複数の表示装置のうちマスターとなる表示装置１１０−２は、閲覧者の体動を検出する検出部７０１と、体動の検出結果に基づいて、複数の表示装置のそれぞれに表示中の映像内容をそれぞれ複数の表示装置のうちの別の表示装置に表示させるための位置情報を生成する生成部７０２と、当該位置情報を、複数の表示装置のうちスレーブとなる表示装置１１０−１，１１０−３〜１１０−６へ送信する位置情報送信部７０３と、を備える。スレーブとなる表示装置１１０−１，１１０−３〜１１０−６には、マスターとなる表示装置１１０−２から送信された位置情報を受信する位置情報受信部７０９を備える。複数の表示装置のそれぞれには、位置情報に応じた映像内容を表示する表示制御部７０４を備える。【選択図】図７
2019197115.tif 000002
【特許請求の範囲】
【請求項１】
複数の表示装置にそれぞれ異なる映像内容を表示することが可能なマルチ映像システムであって、
前記複数の表示装置のうちマスターとなる表示装置には、
閲覧者の体動を検出する検出部と、
前記検出部による前記体動の検出結果に基づいて、前記複数の表示装置のそれぞれに表示中の映像内容をそれぞれ前記複数の表示装置のうちの別の表示装置に表示させるための位置情報を生成する生成部と、
前記生成部によって生成された前記位置情報を、前記複数の表示装置のうち前記マスターとなる表示装置以外の、スレーブとなる表示装置へ送信する位置情報送信部と、
を備え、
前記スレーブとなる表示装置には、
前記マスターとなる表示装置から送信された前記位置情報を受信する位置情報受信部を備え、
前記複数の表示装置のそれぞれには、
前記位置情報に応じた映像内容を表示する表示制御部を備える、
ことを特徴とするマルチ映像システム。
【請求項２】
前記複数の表示装置のそれぞれには、
前記位置情報に応じて、表示中の映像内容を前記複数の表示装置のうちの自装置以外の表示装置に送信する映像内容送信部と、
前記複数の表示装置のうちの自装置以外の表示装置から、映像内容を受信する映像内容受信部と、
を備え、
前記表示制御部は、表示中の映像内容に替えて、前記映像内容受信部によって受信された映像内容を表示する、
ことを特徴とする請求項１に記載のマルチ映像システム。
【請求項３】
前記位置情報は、前記複数の表示装置のそれぞれに表示中の映像内容を、前記複数の表示装置の配列に応じて各表示装置に順次表示させるための移動方向を示す情報であり、
前記映像内容送信部は、前記位置情報が示す移動方向の下流方向に配置される隣接の表示装置へ、表示中の映像内容を送信し、
前記映像内容受信部は、前記位置情報が示す移動方向の上流方向に配置される隣接の表示装置から映像内容を受信する、
ことを特徴とする請求項２に記載のマルチ映像システム。
【請求項４】
前記複数の表示装置のそれぞれには、複数の記憶部を備え、
前記表示制御部は、前記複数の記憶部のうち、一の記憶部に記憶されている映像内容を表示し、
前記映像内容受信部によって受信された映像内容を、前記一の記憶部とは異なる他の記憶部に記憶させ、
前記一の記憶部に記憶されている映像内容に替えて、前記他の記憶部に記憶された映像内容表示する、
ことを特徴とする請求項２または３に記載のマルチ映像システム。
【請求項５】
複数の表示装置にそれぞれ異なる映像内容を表示することが可能なマルチ映像システムにおけるマスターとなる表示装置であって、
閲覧者の体動を検出する検出部と、
前記検出部による前記体動の検出結果に基づいて、前記複数の表示装置のそれぞれに表示中の映像内容をそれぞれ前記複数の表示装置のうちの別の表示装置に表示させるための位置情報を生成する生成部と、
前記生成部によって生成された前記位置情報を、前記複数の表示装置のうち前記マスターとなる表示装置以外の、スレーブとなる表示装置へ送信する位置情報送信部と、
前記位置情報に応じた映像内容を表示する表示制御部と、
を備えることを特徴とする表示装置。
【請求項６】
複数の表示装置にそれぞれ異なる映像内容を表示することが可能なマルチ映像システムにおけるスレーブとなる表示装置であって、
前記複数の表示装置のうちの前記スレーブとなる表示装置以外の、マスターとなる表示装置によって、閲覧者の体動の検出結果に基づいて生成された位置情報であって、前記複数の表示装置のそれぞれに表示中の映像内容をそれぞれ前記複数の表示装置のうちの別の表示装置に表示させるための前記位置情報を、前記マスターとなる表示装置から受信する位置情報受信部と、
前記位置情報に応じた映像内容を表示する表示制御部と、
を備えることを特徴とする表示装置。
【請求項７】
複数の表示装置にそれぞれ異なる映像内容を表示することが可能なマルチ映像システムにおける表示方法であって、
前記複数の表示装置のうちマスターとなる表示装置が、
閲覧者の体動を検出する工程と、
検出した前記体動の検出結果に基づいて、前記複数の表示装置のそれぞれに表示中の映像内容をそれぞれ前記複数の表示装置のうちの別の表示装置に表示させるための位置情報を生成する工程と、
生成した前記位置情報を、前記複数の表示装置のうち前記マスターとなる表示装置以外の、スレーブとなる表示装置へ送信する工程と、
を含み、
前記スレーブとなる表示装置が、
前記マスターとなる表示装置から送信された前記位置情報を受信する工程を含み、
前記複数の表示装置のそれぞれが、
前記位置情報に応じた映像内容を表示する工程を含む、
ことを特徴とする表示方法。
【発明の詳細な説明】
【技術分野】
【０００１】
本発明は、マルチ映像システム、表示装置、及び表示方法に関する。
【背景技術】
【０００２】
デイジーチェーン接続されたマルチディスプレイシステムでは、複数のディスプレイ装置を並べて１つの大画面を形成することができる（例えば、特許文献１参照）。また、このようなマルチディスプレイシステムでは、複数のディスプレイ装置にそれぞれ異なる映像内容を表示することができる。
【先行技術文献】
【特許文献】
【０００３】
【特許文献１】特開２０１５−１０３８８７号公報
【発明の概要】
【発明が解決しようとする課題】
【０００４】
しかしながら、従来技術では、複数の表示装置を組み合わせて大画面システムを構築し、それぞれ異なる映像内容を表示させた場合、閲覧者は、視線を上下方向や左右方向に頻繁に移動させて各表示画面上の情報を閲覧することとなる。このため、閲覧者が長時間にわたって表示画面を閲覧した場合に、疲労など閲覧者にとって負荷が生じることがあるという問題があった。
【０００５】
上述の課題を鑑み、本発明は、閲覧時における閲覧者の負荷を軽減することができるマルチ映像システム、表示装置、及び表示方法を提供することを目的とする。
【課題を解決するための手段】
【０００６】
上述の課題を解決するために、本発明の一態様に係るマルチ映像システムは、複数の表示装置にそれぞれ異なる映像内容を表示することが可能なマルチ映像システムであって、前記複数の表示装置のうちマスターとなる表示装置には、閲覧者の体動を検出する検出部と、前記検出部による前記体動の検出結果に基づいて、前記複数の表示装置のそれぞれに表示中の映像内容をそれぞれ前記複数の表示装置のうちの別の表示装置に表示させるための位置情報を生成する生成部と、前記生成部によって生成された前記位置情報を、前記複数の表示装置のうち前記マスターとなる表示装置以外の、スレーブとなる表示装置へ送信する位置情報送信部と、を備え、前記スレーブとなる表示装置には、前記マスターとなる表示装置から送信された前記位置情報を受信する位置情報受信部を備え、前記複数の表示装置のそれぞれには、前記位置情報に応じた映像内容を表示する表示制御部を備える。
【０００７】
本発明の一態様に係る表示装置は、複数の表示装置にそれぞれ異なる映像内容を表示することが可能なマルチ映像システムにおけるマスターとなる表示装置であって、閲覧者の体動を検出する検出部と、前記検出部による前記体動の検出結果に基づいて、前記複数の表示装置のそれぞれに表示中の映像内容をそれぞれ前記複数の表示装置のうちの別の表示装置に表示させるための位置情報を生成する生成部と、前記生成部によって生成された前記位置情報を、前記複数の表示装置のうち前記マスターとなる表示装置以外の、スレーブとなる表示装置へ送信する位置情報送信部と、前記位置情報に応じた映像内容を表示する表示制御部と、を備える。
【０００８】
本発明の一態様に係る表示装置は、複数の表示装置にそれぞれ異なる映像内容を表示することが可能なマルチ映像システムにおけるスレーブとなる表示装置であって、前記複数の表示装置のうちの前記スレーブとなる表示装置以外の、マスターとなる表示装置によって、閲覧者の体動の検出結果に基づいて生成された位置情報であって、前記複数の表示装置のそれぞれに表示中の映像内容をそれぞれ前記複数の表示装置のうちの別の表示装置に表示させるための前記位置情報を、前記マスターとなる表示装置から受信する位置情報受信部と、前記位置情報に応じた映像内容を表示する表示制御部と、を備える。
【０００９】
本発明の一態様に係る表示方法は、数の表示装置にそれぞれ異なる映像内容を表示することが可能なマルチ映像システムにおける表示方法であって、前記複数の表示装置のうちマスターとなる表示装置が、閲覧者の体動を検出する工程と、検出した前記体動の検出結果に基づいて、前記複数の表示装置のそれぞれに表示中の映像内容をそれぞれ前記複数の表示装置のうちの別の表示装置に表示させるための位置情報を生成する工程と、生成した前記位置情報を、前記複数の表示装置のうち前記マスターとなる表示装置以外の、スレーブとなる表示装置へ送信する工程と、を含み、前記スレーブとなる表示装置が、前記マスターとなる表示装置から送信された前記位置情報を受信する工程を含み、前記複数の表示装置のそれぞれが、前記位置情報に応じた映像内容を表示する工程を含む。
【発明の効果】
【００１０】
本発明によれば、閲覧者が閲覧したい映像内容を所望の表示装置に簡単に表示させることができるため、閲覧時における閲覧者の負荷を軽減することができる。
【図面の簡単な説明】
【００１１】
【図１】実施形態に係るマルチ映像システム１を示す説明図である。
【図２】右回り方向に映像内容を移動させる場合の表示画面の動作例を示す説明図である。
【図３】左回り方向に映像内容を移動させる場合の表示画面の動作例を示す説明図である。
【図４】各表示装置１１０が起動時に行う映像内容表示処理の一例を示すフローチャートである。
【図５】マスターとなる表示装置１１０（第２表示装置１１０−２）が行う表示処理の一例を示すフローチャートである。
【図６】スレーブとなる表示装置１１０（表示装置１１０−１，１１０−３〜１１０−６）が行う指先動作検出処理の一例を示すフローチャートである。
【図７】実施形態に係るマルチ映像表示装置１１０の機能的構成を示すブロック図である。
【発明を実施するための形態】
【００１２】
以下、本発明の一実施形態によるマルチ映像システムについて、図面を参照して説明する。
【００１３】
（実施形態）
図１は、実施形態に係るマルチ映像システム１を示す説明図である。図１において、マルチ映像システム１は、映像出力装置１００と、複数の表示装置１１０（１１０−１〜１１０−６）とを備える。本実施形態の例では、マルチ映像システム１は、６台の第１表示装置１１０−１〜第６表示装置１１０−６を備えることとする。また、本実施形態の例では、６台の表示装置１１０を、横方向に３台、縦方向に２台並べて配置することとする。具体的には、閲覧者から見て、上段に左から順に第１表示装置１１０−１、第２表示装置１１０−２、第３表示装置１１０−３を配置し、下段に左から順に第６表示装置１１０−６、第５表示装置１１０−５、第４表示装置１１０−４を配置することとする。
【００１４】
複数の表示装置１１０は、それぞれ異なる映像内容を表示することが可能である。ただし、映像出力装置１００は、複数の表示装置１１０に１つの映像信号（映像内容）を表示することにより、複数の表示装置１１０の画面全体で１つの映像内容を表示することも可能である。映像出力装置１００は、複数の表示装置１１０のそれぞれに表示させる映像信号をする。
【００１５】
複数の表示装置１１０は、それぞれ、映像入力端子１１１と、映像信号処理回路１１２と、第１メモリ１１３と、ＣＰＵ（Ｃｅｎｔｒａｌ  Ｐｒｏｃｅｓｓｉｎｇ  Ｕｎｉｔ）１１４と、第２メモリ１１５と、液晶パネル１１６と、カメラ１１７と、双方向通信端子１１８と、第１出力端子１１９と、第２出力端子１２０と、第１入力端子１２１と、第２入力端子１２２とを備える。
【００１６】
まず、各表示装置１１０が、映像出力装置１００から出力された映像信号を入力する手順について説明する。例えば、第１表示装置１１０−１の映像入力端子１１１は、複数の表示装置１１０のそれぞれに表示する映像信号を入力する。第１表示装置１１０−１の映像入力端子１１１に入力された映像信号は、各表示装置１１０の映像入力端子１１１を介して、順次、隣接する表示装置１１０へ出力（転送）される。
【００１７】
具体的に説明すると、第１表示装置１１０−１は、複数の表示装置１１０のそれぞれに表示する映像信号を入力すると、第２表示装置１１０−２の映像入力端子１１１へ、第２表示装置１１０−２及び第３表示装置１１０−３に表示させる映像信号を出力する。そして、第２表示装置１１０−２は、第３表示装置１１０−３の映像入力端子１１１へ、第３表示装置１１０−３に表示させる映像信号を出力する。
【００１８】
同様に、第１表示装置１１０−１は、第６表示装置１１０−６の映像入力端子１１１へ、第５表示装置１１０−５及び第６表示装置１１０−６に表示させる映像信号を出力する。そして、第６表示装置１１０−６は、第５表示装置１１０−５の映像入力端子１１１へ、第５表示装置１１０−５に表示させる映像信号を出力する。このようにして、映像出力装置１００から出力された複数の表示装置１１０に表示される映像信号は、一の表示装置１１０（第１表示装置１１０−１）を介して、順次、他の表示装置１１０に転送される。なお、映像出力装置１００から出力された映像信号を入力する一の表示装置１１０や、他の表示装置１１０への転送する順は、上述した態様に限らず、表示装置１１０の配列や接続に応じて、任意に設定することが可能である。
【００１９】
次に、各表示装置１１０が映像信号を入力した後について説明する。映像入力端子１１１は、入力された映像信号を映像信号処理回路１１２へ出力する。映像信号処理回路１１２は、映像入力端子１１１から入力された映像信号を第１メモリ１１３に記憶させる。映像信号処理回路１１２は、自装置に表示させる映像信号を第１メモリ１１３に記憶させる。第１メモリ１１３に記憶させる映像信号は、表示装置１１０毎に異なる。また、映像信号処理回路１１２は、第１メモリ１１３に記憶させた映像信号に応じた映像を液晶パネル１１６に表示させる。これにより、表示装置１１０毎に異なる映像が表示される。
【００２０】
次に、各表示装置１１０に表示された映像内容を隣接する表示装置１１０に所定方向（右回り方向や左回り方向）に表示させる場合について説明する。まず、カメラ１１７は、閲覧者の指の動作を撮像する。指の動作は、例えば、右回り（右方向）を示す動作や左回り（左方向）を示す動作である。カメラ１１７は、複数の表示装置１１０のうち一の表示装置１１０に内蔵されるものが有効に設定される。カメラ１１７が有効に設定される表示装置１１０は、予め設定された表示装置１１０であってもよいし、閲覧者が選択した表示装置１１０であってもよい。カメラ１１７が有効に設定される一の表示装置１１０（例えば、第２表示装置１１０−２）は、マスターとなる表示装置１１０であり、例えば、閲覧者から見て、マルチ映像システム１の中央付近に配置される表示装置１１０である。カメラ１１７は、複数の表示装置１１０のうち、少なくとも、マスターとなる一の表示装置１１０に具備されていればよい。
【００２１】
ここで、マスターとなる第２表示装置１１０−２について説明する。第２表示装置１１０−２のカメラ１１７は、撮像した撮像結果を第２表示装置１１０−２のＣＰＵ１１４へ出力する。第２表示装置１１０−２のＣＰＵ１１４は、カメラ１１７から入力された撮像結果を用いて、閲覧者の指の動作を解析する。例えば、第２表示装置１１０−２のＣＰＵ１１４は、閲覧者の指の動作が右回り方向を示す動作であるのか、左回り方向を示す動作であるのかを解析する。第２表示装置１１０−２のＣＰＵ１１４は、画像の解析結果を第２表示装置１１０−２の双方向通信端子１１８へ出力する。
【００２２】
第２表示装置１１０−２の双方向通信端子１１８は、他の表示装置１１０−１，１１０−３〜１１０−６の双方向通信端子１１８へ画像の解析結果を出力する。他の表示装置１１０−１，１１０−３〜１１０−６の双方向通信端子１１８は、入力された画像の解析結果をそれぞれ自装置のＣＰＵ１１４へ出力する。
【００２３】
ここで、右回り方向を示す動作であるという解析結果が得られた場合における動作例として、主に、第１表示装置１１０−１及び第２表示装置１１０−２の動作例を中心に説明する。この場合、第１表示装置１１０−１のＣＰＵ１１４は、第１メモリ１１３に記憶されている映像信号を、映像信号処理回路１１２を介して第１出力端子１１９から、第２表示装置１１０−２の第１入力端子１２１に出力する。また、第１表示装置１１０−１の第１入力端子１２１は、第６表示装置１１０−６の第１出力端子１１９から出力された映像信号を入力する。
【００２４】
同様に、第２表示装置１１０−２のＣＰＵ１１４は、第１メモリ１１３に記憶されている映像信号を、映像信号処理回路１１２を介して第１出力端子１１９から、第３表示装置１１０−３の第１入力端子１２１に出力する。また、第２表示装置１１０−２の第１入力端子１２１は、第１表示装置１１０−１の第１出力端子１１９から出力された映像信号を入力する。
【００２５】
ここでは、詳細な説明を省略するが、第３表示装置１１０−３〜第６表示装置１１０−６についても同様に、第１メモリ１１３に記憶されている映像信号を、第１出力端子１１９から、自装置よりも序数が１つ大きい表示装置１１０へ出力するとともに、自装置よりも序数が１つ小さい表示装置１１０から出力された映像信号を第１入力端子１２１から入力する。なお、本実施形態の例において、第６表示装置１１０−６の場合、自装置よりも序数が１つ大きい表示装置１１０に対応する表示装置１１０は、第１表示装置１１０−１とする。また、第１表示装置１１０−１の場合、自装置よりも序数が１つ小さい表示装置１１０に対応する表示装置１１０は、第６表示装置１１０−６とする。
【００２６】
そして、各表示装置１１０において、第１入力端子１２１は、入力された映像信号を映像信号処理回路１１２へ出力する。映像信号処理回路１１２は、第１入力端子１２１から入力された映像信号を第２メモリ１１５に記憶させる。第２メモリ１１５に映像信号が記憶されると、映像信号処理回路１１２は、第１メモリ１１３に記憶されている映像信号による表示を中止して、第２メモリ１１５に記憶させた映像信号による映像を液晶パネル１１６に表示させる。
【００２７】
これにより、閲覧者が右回り方向を示す動作を行った場合に、第１表示装置１１０−１には、第６表示装置１１０−６に表示されていた映像内容を表示させることができるとともに、第２表示装置１１０−２には、第１表示装置１１０−１に表示されていた映像内容を表示させることができる。同様に、第３表示装置１１０−３〜第６表示装置１１０−６においても、閲覧者が行う右回り方向を示す動作に応じて、隣接する表示装置１１０に表示されていた映像内容を表示させることができる。
【００２８】
次に、左回り方向を示す動作であるという解析結果が得られた場合における動作例として、主に、第１表示装置１１０−１及び第２表示装置１１０−２の動作例を中心に説明する。この場合、第１表示装置１１０−１のＣＰＵ１１４は、第１メモリ１１３に記憶されている映像信号を、映像信号処理回路１１２を介して第２出力端子１２０から、第６表示装置１１０−６の第２入力端子１２２に出力する。また、第１表示装置１１０−１の第２入力端子１２２は、第２表示装置１１０−２の第２出力端子１２０から出力された映像信号を入力する。
【００２９】
同様に、第２表示装置１１０−２のＣＰＵ１１４は、第１メモリ１１３に記憶されている映像信号を、映像信号処理回路１１２を介して第２出力端子１２０から、第１表示装置１１０−１の第２入力端子１２２に出力する。また、第２表示装置１１０−２の第２入力端子１２２は、第３表示装置１１０−３の第２出力端子１２０から出力された映像信号を入力する。
【００３０】
ここでは、詳細な説明を省略するが、第３表示装置１１０−３〜第６表示装置１１０−６についても同様に、第１メモリ１１３に記憶されている映像信号を、第２出力端子１２０から、自装置よりも序数が１つ小さい表示装置１１０へ出力するとともに、自装置よりも序数が１つ大きい表示装置１１０から出力された映像信号を第２入力端子１２２から入力する。
【００３１】
そして、各表示装置１１０において、第２入力端子１２２は、入力された映像信号を映像信号処理回路１１２へ出力する。映像信号処理回路１１２は、第２入力端子１２２から入力された映像信号を第２メモリ１１５に記憶させる。そして、映像信号処理回路１１２は、第１メモリ１１３に記憶されている映像信号による表示を中止して、第２メモリ１１５に記憶させた映像信号による映像を液晶パネル１１６に表示させる。
【００３２】
これにより、閲覧者が左回り方向を示す動作を行った場合に、第１表示装置１１０−１には、第２表示装置１１０−２に表示されていた映像内容を表示させることができるとともに、第２表示装置１１０−２には、第３表示装置１１０−３に表示されていた映像内容を表示させることができる。同様に、第３表示装置１１０−３〜第６表示装置１１０−６においても、閲覧者が行う左回り方向を示す動作に応じて、隣接する表示装置１１０に表示されていた映像内容を表示させることができる。
【００３３】
（上述した右回り方向の動作後または左回り方向の動作後に、さらに動作させる例について）
次に、右回り方向の動作後または左回り方向の動作後に、さらに動作させる例として、主に、第１表示装置１１０−１及び第２表示装置１１０−２の動作例を中心に説明する。なお、上述した右回り方向の動作または左回り方向の動作では、各表示装置１１０が第１メモリ１１３に記憶される映像信号を他の表示装置１１０へ出力し、また、各表示装置１１０が他の表示装置１１０から入力した映像信号を第２メモリ１１５に記憶させることとした。以下の動作例では、各表示装置１１０が第２メモリ１１５に記憶される映像信号を他の表示装置１１０へ出力し、また、各表示装置１１０が他の表示装置１１０から入力した映像信号を第１メモリ１１３に記憶させる点で、上述した右回り方向の動作または左回り方向の動作時とは異なる。
【００３４】
具体的に説明すると、上述したように、右回り方向の動作または左回り方向の動作を行った場合、第１メモリ１１３には、当初表示していた映像信号が記憶されており、第２メモリ１１５には、他の表示装置１１０から入力された映像信号が記憶されている。
【００３５】
この状態から、さらに、例えば、右回り方向に動作させる場合、例えば、第１表示装置１１０−１のＣＰＵ１１４は、第２メモリ１１５に記憶されている映像信号（表示中の映像信号）を、映像信号処理回路１１２を介して第１出力端子１１９から、第２表示装置１１０−２の第１入力端子１２１へ出力する。また、第１表示装置１１０−１の第１入力端子１２１は、第６表示装置１１０−６の第１出力端子１１９から出力された映像信号を入力する。
【００３６】
同様に、第２表示装置１１０−２のＣＰＵ１１４は、第２メモリ１１５に記憶されている映像信号（表示中の映像信号）を、映像信号処理回路１１２を介して第１出力端子１１９から、第３表示装置１１０−３の第１入力端子１２１に出力する。また、第２表示装置１１０−２の第１入力端子１２１は、第１表示装置１１０−１の第１出力端子１１９から出力された映像信号を入力する。
【００３７】
そして、各表示装置１１０において、第１入力端子１２１は、入力された映像信号を映像信号処理回路１１２へ出力する。映像信号処理回路１１２は、第１入力端子１２１から入力された映像信号を、第１メモリ１１３に記憶させる。そして、映像信号処理回路１１２は、第２メモリ１１５に記憶されている映像信号による表示を中止して、第１メモリ１１３に記憶させた映像信号による映像を液晶パネル１１６に表示させる。このように、本実施形態の例では、第１メモリ１１３と第２メモリ１１５とを交互に切り替えて、他の表示装置１１０から入力した映像信号を記憶して、表示することができる。
【００３８】
これにより、閲覧者が、例えば、最初に右回り方向の動作を行った後に、さらに右回り方向の動作を行った場合に、第１表示装置１１０−１には、最初に第５表示装置１１０−５に表示されていた映像内容を表示させることができるとともに、第２表示装置１１０−２には、最初に第６表示装置１１０−６に表示されていた映像内容を表示させることができる。同様に、第３表示装置１１０−３〜第６表示装置１１０−６においても、閲覧者が行う右回り方向の動作に応じて、隣接する表示装置１１０に表示されていた映像内容を表示させることができる。なお、詳細な説明について省略するが、さらにその後に動作させる場合についても同様であり、各表示装置１１０は表示中のメモリに記憶される映像信号を他の表示装置１１０へ出力し、また、各表示装置１１０が他の表示装置１１０から入力した映像信号を不使用中のメモリに記憶させて、表示させることとする。
【００３９】
（表示画面の動作例）
図２は、右回り方向に映像内容を移動させる場合の表示画面の動作例を示す説明図である。図３は、左回り方向に映像内容を移動させる場合の表示画面の動作例を示す説明図である。図２の（１）及び図３の（１）に示すように、第１表示装置１１０−１には映像内容Ａが表示され、第２表示装置１１０−２には映像内容Ｂが表示され、第３表示装置１１０−３には映像内容Ｃが表示され、第４表示装置１１０−４には映像内容Ｄが表示され、第５表示装置１１０−５には映像内容Ｅが表示され、第６表示装置１１０−６には映像内容Ｆが表示されている。
【００４０】
この状態から、閲覧者２０が右回り方向の動作を行ったとすると、図３の（２）に示すように、表示される映像内容が移動する。具体的には、第１表示装置１１０−１には映像内容Ｆが表示され、第２表示装置１１０−２には映像内容Ａが表示され、第３表示装置１１０−３には映像内容Ｂが表示され、第４表示装置１１０−４には映像内容Ｃが表示され、第５表示装置１１０−５には映像内容Ｄが表示され、第６表示装置１１０−６には映像内容Ｅが表示される。さらに、閲覧者２０が右回り方向の動作を行った場合も、同様に、表示される各映像内容が右回り方向に隣接する表示装置１１０に移動して表示される。
【００４１】
また、図３の（１）に示す状態から、閲覧者２０が左回り方向の動作を行ったとすると、図３の（２）に示すように、表示される映像内容が移動する。具体的には、第１表示装置１１０−１には映像内容Ｂが表示され、第２表示装置１１０−２には映像内容Ｃが表示され、第３表示装置１１０−３には映像内容Ｄが表示され、第４表示装置１１０−４には映像内容Ｅが表示され、第５表示装置１１０−５には映像内容Ｆが表示され、第６表示装置１１０−６には映像内容Ａが表示される。さらに、閲覧者２０が左回り方向の動作を行った場合も、同様に、表示される各映像内容が左回り方向に隣接する表示装置１１０に移動して表示される。
【００４２】
（各表示装置１１０が起動時に行う映像内容表示処理の一例）
図４は、各表示装置１１０が起動時に行う映像内容表示処理の一例を示すフローチャートである。図４において、各表示装置１１０は、映像出力装置１００から出力された映像内容を受信したか否かを判定する（ステップＳ１０１）。なお、映像出力装置１００から出力された映像内容は、第１表示装置１１０−１を介して、順次、隣接する表示装置１１０に転送される。各表示装置１１０は、映像内容を受信するまで待機し、映像内容を受信すると、受信した映像内容を第１メモリ１１３に記憶する（ステップＳ１０２）。そして、各表示装置１１０は、カメラ１１７を有効にする設定か否かを判定する（ステップＳ１０３）。
【００４３】
各表示装置１１０は、カメラ１１７を有効にする設定ではない場合、ステップＳ１０５に移行する。各表示装置１１０は、カメラ１１７を有効にする設定である場合、カメラ１１７を有効に設定する（ステップＳ１０４）。本実施形態では、例えば、マスターとなる第２表示装置１１０−２がカメラ１１７を有効に設定し、第２表示装置１１０−２以外の、スレーブとなる表示装置１１０（表示装置１１０−１，１１０−３〜１１０−６）がカメラ１１７を無効に設定する。そして、各表示装置１１０は、第１メモリ１１３に記憶した映像内容を表示し（ステップＳ１０５）、本フローチャートに係る処理を終了する。
【００４４】
（マスターとなる表示装置１１０が行う表示処理の一例）
図５は、マスターとなる表示装置１１０（第２表示装置１１０−２）が行う表示処理の一例を示すフローチャートである。図５において、第２表示装置１１０−２は、閲覧者の指先動作を検出したか否かを判定する（ステップＳ２０１）。第２表示装置１１０−２は、閲覧者の指先動作を検出するまで待機し、閲覧者の指先動作を検出すると、検出結果が右回り方向であるか否かを判定する（ステップＳ２０２）。第２表示装置１１０−２は、検出結果が右回り方向である場合、右回り方向を示す位置情報をスレーブとなる表示装置１１０（表示装置１１０−１，１１０−３〜１１０−６）へ送信する（ステップＳ２０３）。
【００４５】
そして、第２表示装置１１０−２は、表示中の映像内容を記憶する一方のメモリ（第１メモリ１１３または第２メモリ１１５：起動時は例えば第１メモリ１１３）に記憶している映像内容を第３表示装置１１０−３へ出力する（ステップＳ２０４）。次に、第２表示装置１１０−２は、第１表示装置１１０−１から出力された映像内容を入力する（ステップＳ２０５）。そして、第２表示装置１１０−２は、第１表示装置１１０−１から入力した映像内容を、不使用中の他方のメモリ（第１メモリ１１３または第２メモリ１１５：起動時は例えば第２メモリ１１５）に記憶する（ステップＳ２０６）。そして、第２表示装置１１０−２は、表示中の映像内容の表示を停止して（表示中の映像内容に替えて）、不使用中の他方のメモリに記憶した映像内容を表示し（ステップＳ２０７）、本フローチャートに係る処理を終了する。これにより、第２表示装置１１０−２は、表示中の映像内容を記憶するメモリ（例えば第１メモリ１１３）と、不使用中のメモリ（例えば第２メモリ１１５）とを交互に切り替えることができる。また、第２表示装置１１０−２は、不使用中のメモリを用いて、映像出力装置１００から出力される映像内容を表示することができる。
【００４６】
一方で、ステップＳ２０２において、第２表示装置１１０−２は、右回り方向ではないと判定した場合、すなわち、左回り方向であると判定した場合、左回り方向を示す位置情報をスレーブとなる表示装置１１０（表示装置１１０−１，１１０−３〜１１０−６）へ送信する（ステップＳ２０８）。そして、第２表示装置１１０−２は、表示中の映像内容を記憶する一方のメモリ（第１メモリ１１３または第２メモリ１１５：起動時は例えば第１メモリ１１３）に記憶している映像内容を第１表示装置１１０−１へ出力する（ステップＳ２０９）。次に、第２表示装置１１０−２は、第３表示装置１１０−３から出力された映像内容を入力し（ステップＳ２１０）、ステップＳ２０６に移行する。
【００４７】
（スレーブとなる表示装置１１０が行う表示処理の一例）
図６は、スレーブとなる表示装置１１０（表示装置１１０−１，１１０−３〜１１０−６）が行う指先動作検出処理の一例を示すフローチャートである。図６において、スレーブとなる表示装置１１０−１，１１０−３〜１１０−６（以下、図６の説明において「表示装置１１０」と記載）は、第２表示装置１１０−２から位置情報を受信したか否かを判定する（ステップＳ３０１）。表示装置１１０は、第２表示装置１１０−２から位置情報を受信するまで待機し、第２表示装置１１０−２から位置情報を受信すると、右回り方向を示す位置情報であるか否かを判定する（ステップＳ３０２）。
【００４８】
表示装置１１０は、右回り方向を示す位置情報である場合、表示中の映像内容を記憶する一方のメモリ（第１メモリ１１３または第２メモリ１１５：起動時は例えば第１メモリ１１３）に記憶している映像内容を、自装置よりも序数が１つ大きい表示装置１１０（図６では「第ｎ＋１表示装置」と記載）へ出力する（ステップＳ３０３）。ただし、第６表示装置１１０−６の場合、自装置よりも序数が１つ大きい表示装置１１０に対応する表示装置１１０は、第１表示装置１１０−１とする。
【００４９】
次に、表示装置１１０は、自装置よりも序数が１つ小さい表示装置１１０（図６では「第ｎ−１表示装置」と記載）から出力された映像内容を入力する（ステップＳ３０４）。ただし、第１表示装置１１０−１の場合、自装置よりも序数が１つ小さい表示装置１１０に対応する表示装置１１０は、第６表示装置１１０−６とする。そして、表示装置１１０は、自装置よりも序数が１つ小さい表示装置１１０から入力した映像内容を、不使用中の他方のメモリ（第１メモリ１１３または第２メモリ１１５：起動時は例えば第２メモリ１１５）に記憶する（ステップＳ３０５）。そして、表示装置１１０は、表示中の映像内容の表示を停止して（表示中の映像内容に替えて）、不使用中の他方のメモリに記憶した映像内容を表示し（ステップＳ３０６）、本フローチャートに係る処理を終了する。これにより、表示装置は、表示中の映像内容を記憶するメモリ（例えば第１メモリ１１３）と、不使用中のメモリ（例えば第２メモリ１１５）とを交互に切り替えることができる。また、表示装置１１０は、不使用中のメモリを用いて、映像出力装置１００から出力される映像内容を表示することができる。
【００５０】
一方で、ステップＳ３０２において、表示装置１１０は、右回り方向を示す位置情報ではないと判定した場合、すなわち、左回り方向を示す位置情報であると判定した場合、表示中の映像内容を記憶する一方のメモリ（第１メモリ１１３または第２メモリ１１５：起動時は例えば第１メモリ１１３）に記憶している映像内容を、自装置よりも序数が１つ小さい表示装置１１０へ出力する（ステップＳ３０７）。次に、表示装置１１０は、自装置よりも序数が１つ大きい表示装置１１０から出力された映像内容を入力し（ステップＳ３０８）、ステップＳ３０５に移行する。
【００５１】
（表示装置１１０の機能的構成）
図７は、実施形態に係るマルチ映像表示装置１１０の機能的構成を示すブロック図である。図７において、マスターとなる第２表示装置１１０−２は、検出部７０１と、生成部７０２と、位置情報送信部７０３と、表示制御部７０４と、第１記憶部７０５と、映像内容送信部７０６と、映像内容受信部７０７と、第２記憶部７０８とを備える。また、スレーブとなる表示装置１１０−１，１１０−３〜１１０−６は、表示制御部７０４と、第１記憶部７０５と、映像内容送信部７０６と、映像内容受信部７０７と、第２記憶部７０８と、位置情報受信部７０９とを備える。本実施形態に係るマルチ映像システム１は、複数の表示装置１１０にそれぞれ異なる映像内容を表示することが可能である。複数の表示装置１１０は、少なくとも２以上の表示装置１１０であればよい。
【００５２】
まず、マスターとなる第２表示装置１１０−２について説明する。検出部７０１は、閲覧者の体動を検出する。閲覧者は、複数の表示装置１１０を閲覧するユーザである。閲覧者の体動は、例えば、閲覧者の指の動作である。閲覧者の指の動作は、具体的には、円を描く動作や、指の上下方向の動作や、左右方向の動作や、斜め方向の動作などである。なお、閲覧者の体動は、閲覧者の指の動作に限らず、例えば、腕全体の動作や身体全体の動作などでもよい。検出部７０１は、例えば、カメラ１１７によって実現される。
【００５３】
生成部７０２は、検出部７０１による閲覧者の体動の検出結果に基づいて、位置情報を生成する。位置情報は、例えば、複数の表示装置１１０のそれぞれに表示中の映像内容を、複数の表示装置１１０の配列に応じて各表示装置１１０に順次表示させるための移動方向を示す情報である。具体的には、位置情報は、例えば、右回りや左回りといった移動方向を示す情報である。ただし、位置情報は、表示装置１１０の配置態様などに応じて移動方向を示す情報であればよく、例えば、左右方向、上下方向、斜め方向といった移動方向を示す情報としてもよい。具体的に説明すると、例えば、２以上の表示装置１１０を横一列に配置した場合には、位置情報は、右左方向といった移動方向を示す情報としてもよいし、２以上の表示装置１１０を縦一列に配置した場合には、上下方向といった移動方向を示す情報としてもよい。
【００５４】
また、位置情報は、本実施形態の例のように、複数の表示装置１１０を上下に２段に配置した場合、上段に配置される表示装置１１０の映像内容と、下段に配置される表示装置１１０の映像内容とを切り替えるための上下方向の移動方向を示す情報としてもよい。また、特定の２つの表示装置１１０の間で表示させる映像内容を切り替えるための移動方向を示す情報としてもよい。生成部１０２は、例えば、ＣＰＵ１１４によって実現される。
【００５５】
位置情報送信部７０３は、生成部７０２によって生成された位置情報を、スレーブとなる表示装置１１０へ送信する。本実施形態において、スレーブとなる表示装置１１０は、複数の表示装置１１０のうちマスターとなる第２表示装置１１０−２以外の表示装置１１０（１１０−１，１１０−３〜１１０−６）である。位置情報送信部７０３は、双方向通信端子１１８によって実現される。
【００５６】
次に、スレーブとなる表示装置１１０について説明する。スレーブとなる表示装置１１０の位置情報受信部７０９は、マスターとなる第２表示装置１１０−２から送信された位置情報を受信する。位置情報受信部７０９は、双方向通信端子１１８によって実現される。
【００５７】
次に、マスターとなる第２表示装置１１０−２、及びスレーブとなる表示装置１１０−１，１１０−３〜１１０−６に共通する点について説明する。まず、各表示装置１１０において、不図示の映像信号受信部は、映像出力装置１００から出力された映像信号を受信する。映像信号受信部は、映像入力端子１１１によって実現される。表示制御部７０４は、映像信号受信部によって受信された映像信号を表示する。また、表示制御部７０４は、位置情報に応じた映像内容を表示する。表示制御部７０４は、映像信号処理回路１１２やＣＰＵ１１４によって実現される。ここで、本実施形態の例では、表示制御部７０４は、位置情報に応じて、隣接する別の表示装置１１０から表示する映像内容を受信して、表示する。以下に、位置情報に応じて、隣接する別の表示装置１１０から表示する映像内容を受信して、表示することについて説明する。
【００５８】
映像内容送信部７０６は、位置情報に応じて、表示中の映像内容を複数の表示装置１１０のうちの自装置以外の表示装置１１０に送信する。例えば、映像内容送信部７０６は、位置情報が示す移動方向の下流方向に配置される隣接の表示装置へ、表示中の映像内容を送信する。具体的には、例えば、位置情報が右回り方向を示す情報である場合、映像内容送信部７０６は、右回りに応じた隣接する表示装置１１０へ表示中の映像内容を送信する。例えば、第１表示装置１１０−１の映像内容送信部７０６は、位置情報が右回り方向を示す情報である場合、表示中の映像内容を第２表示装置１１０−２へ送信する。また、第２表示装置１１０−２の映像内容送信部７０６は、位置情報が右回り方向を示す情報である場合、表示中の映像内容を第３表示装置１１０−３に送信する。映像内容送信部７０６は、第１出力端子１１９や第２出力端子１２０によって実現される。
【００５９】
映像内容受信部７０７は、複数の表示装置１１０のうちの自装置以外の表示装置１１０から、映像内容を受信する。例えば、映像内容受信部７０７は、位置情報が示す移動方向の上流方向に配置される隣接の表示装置１１０から映像内容を受信する。具体的には、例えば、位置情報が右回り方向を示す情報である場合、映像内容受信部７０７は、右回りに応じた隣接する表示装置１１０から、表示する映像内容を受信する。例えば、第１表示装置１１０−１の映像内容受信部７０７は、位置情報が右回り方向を示す情報である場合、第６表示装置１１０−６から、表示する映像内容を受信する。また、第２表示装置１１０−２の映像内容受信部７０７は、位置情報が右回り方向を示す情報である場合、第１表示装置１１０−１から、表示する映像内容を受信する。映像内容受信部７０７は、第１入力端子１２１や第２入力端子１２２によって実現される。
【００６０】
表示制御部７０４は、映像内容受信部７０７によって映像内容が受信されると、表示中の映像内容に替えて、映像内容受信部７０７によって受信された映像内容を表示する。これにより、表示制御部７０４は、例えば、位置情報が右回り方向を示す情報である場合、右回り方向に応じた、隣接する表示装置１１０に表示されていた映像内容の映像を表示することができる。具体的には、位置情報が右回り方向を示す情報である場合、第１表示装置１１０−１の表示制御部７０４は、直下に配置される第６表示装置１１０−６に表示されていた映像内容の映像を表示することができる。また、第２表示装置１１０−２の表示制御部７０４は、左隣に配置される第１表示装置１１０−１に表示されていた映像内容の映像を表示することができる。
【００６１】
また、表示制御部７０４は、複数の記憶部（第１記憶部７０５および第２記憶部７０８）のうち、一の記憶部（使用中の記憶部：例えば第１記憶部７０５）に記憶されている映像内容を表示する。表示制御部７０４は、映像内容受信部７０７によって受信された映像内容を、一の記憶部とは異なる他の記憶部（不使用中の記憶部：例えば第２記憶部７０８）に記憶させる。表示制御部７０４は、一の記憶部（例えば第１記憶部７０５）に記憶されている映像内容に替えて、他の記憶部（例えば第２記憶部７０８）に記憶された映像内容を表示する。このように、表示制御部７０４は、映像内容受信部７０７によって映像内容が受信されることに応じて、使用する記憶部（第１記憶部７０５および第２記憶部７０８）を切り替えて、映像内容を表示する。第１記憶部７０５は、例えば、第１メモリ１１３によって実現される。第２記憶部７０８は、例えば、第２メモリ１１５によって実現される。
【００６２】
以上説明したように、本実施形態に係るマルチ映像システム１は、閲覧者の体動の検出結果に基づいて生成された位置情報に基づいて、各表示装置１１０に映像内容を表示させることとした。これにより、閲覧者が閲覧したい映像内容を、所望の表示装置１１０に簡単に表示させることができる。したがって、閲覧時における閲覧者の負荷を軽減することができる。
【００６３】
例えば、閲覧者は、視線を上下方向や左右方向に移動させなくても、指先を移動させるといった簡単な動作で、閲覧したい映像内容を、所望の表示装置１１０（例えば、中央の第２表示装置１１０−２や第４表示装置１１０−４）に表示させることができる。これにより、閲覧者が長時間にわたり表示画面を閲覧しても、疲労（例えば眼精疲労）を抑えることができる。また、煩わしい操作を要さずに、指先を移動させるといった簡単な動作で映像内容を切り替えることができるため、閲覧者が長時間にわたり表示画面を閲覧しても、映像内容の切り替えに係る負荷を軽減することができる。
【００６４】
また、本実施形態において、各表示装置１１０は、位置情報に応じて、表示中の映像内容を自装置以外の別の表示装置１１０に送信し、自装置以外の別の表示装置１１０から映像内容を受信すると、表示中の映像内容に替えて、受信した映像内容を表示することとした。これにより、映像内容の送信先となる別の表示装置１１０では映像内容を円滑に切り替えることができるとともに、各表示装置１１０では別の表示装置１１０から受信した映像内容に円滑に切り替えることができる。
【００６５】
また、本実施形態において、複数の表示装置１１０のそれぞれに表示中の映像内容を、複数の表示装置１１０の配列に応じて各表示装置１１０に順次表示させるための移動方向を示す位置情報を用いて、各表示装置１１０は、位置情報が示す移動方向の下流方向に配置される隣接の表示装置１１０へ、表示中の映像内容を送信し、位置情報が示す移動方向の上流方向に配置される隣接の表示装置１１０から映像内容を受信することとした。これにより、各表示装置１１０に表示される映像内容を、複数の表示装置１１０の配列に応じて、順次一定方向にシフトさせることができる。したがって、閲覧の容易化を図ることができ、閲覧時における閲覧者の負荷をより軽減することができる。
【００６６】
また、本実施形態において、各表示装置１１０は、複数の記憶部（第１記憶部７０５および第２記憶部７０８）のうち、一の記憶部（例えば第１記憶部７０５）に記憶されている映像内容を表示し、別の表示装置１１０から受信した映像内容を他の記憶部（例えば第２記憶部７０８）に記憶させ、一の記憶部に記憶されている映像内容に替えて、他の記憶部に記憶された映像内容表示することとした。これにより、各表示装置１１０は、別の表示装置１１０から映像内容を受信することに応じて、使用する記憶部（第１記憶部７０５および第２記憶部７０８）を切り替えて、映像内容を表示することができる。したがって、各表示装置１１０は、映像内容の切り替えを円滑に行うことができる。
【００６７】
上述した実施形態におけるマルチ映像システム１の全部または一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信回線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ等のプログラマブルロジックデバイスを用いて実現されるものであってもよい。
【００６８】
以上、この発明の実施形態について図面を参照して詳述してきたが、具体的な構成はこの実施形態に限られるものではなく、この発明の要旨を逸脱しない範囲の設計等も含まれる。
【符号の説明】
【００６９】
１：マルチ映像システム，１１０，１１０−１〜１１０−６：表示装置，１１１：映像入力端子，１１２：映像信号処理回路，１１３：第１メモリ，１１４：ＣＰＵ，１１５：第２メモリ，１１６：液晶パネル，１１７：カメラ，１１８：双方向通信端子，１１９：第１出力端子，１２０：第２出力端子，１２１：第１入力端子，１２２：第２入力端子，７０１：検出部，７０２：生成部，７０３：位置情報送信部，７０４：表示制御部，７０５：第１記憶部，７０６：映像内容送信部，７０７：映像内容受信部，７０８：第２記憶部
【図１】
2019197115.tif 000003
【図２】
2019197115.tif 000004
【図３】
2019197115.tif 000005
【図４】
2019197115.tif 000006
【図５】
2019197115.tif 000007
【図６】
2019197115.tif 000008
【図７】
2019197115.tif 000009